(57)【要約】【課題】  本発明は、人が安心して使用することができ、身体の気血，津液，精の流れを正常化することができる経穴刺激具及び経穴刺激方法を提供することを課題とする。【解決手段】  本発明に係る経穴刺激具は、物品の表面及び／又は裏面にアスタリスク模様Ａ〜Ｆが配列された配列模様１０〜１５を有することを特徴とする構成となっている。このアスタリスク模様Ａ〜Ｆを配列させた配列模様１０〜１５を付した物品を、人体に近接させることにより、物品を利用する人の経穴を刺激して、気血，津液，精の流れを正常化することができる。【選択図】図１
2018047216.tif 000002
【特許請求の範囲】
【請求項１】
物品の表面及び／又は裏面に、複数のアスタリスク模様が配列された配列模様を有することを特徴とする、経穴刺激具。
【請求項２】
前記配列模様は、２つ以上のアスタリスクを重ねた形状のアスタリスク模様を有していることを特徴とする、請求項１に記載の経穴刺激具。
【請求項３】
前記配列模様は、隣り合う前記アスタリスク模様の間隔が７ｍｍ以下に設定されていることを特徴とする、請求項１又は請求項２に記載の経穴刺激具。
【請求項４】
前記物品が、衣服、衛生用品、寝具、内装建材、家具、食器具、調理器具、文房具、健康器具、美容用品、貼付材又は電子機器の入力装置であることを特徴とする、請求項１〜３の何れかに記載の経穴刺激具。
【請求項５】
前記物品が、上衣であることを特徴とする、請求項１〜３の何れかに記載の経穴刺激具。
【請求項６】
前記物品が、テープであることを特徴とする、請求項１〜３の何れかに記載の経穴刺激具。
【請求項７】
請求項１〜６の何れかに記載の経穴刺激具を、身体の経穴に近接させることにより、経穴を刺激することを特徴とする、経穴刺激方法。
【請求項８】
表面及び／又は裏面に、複数のアスタリスク模様が配列された配列模様を有することを特徴とする、テープ。
【請求項９】
前記配列模様は、２つ以上のアスタリスクを重ねた形状のアスタリスク模様を有していることを特徴とする、請求項８に記載のテープ。
【請求項１０】
前記配列模様は、隣り合う前記アスタリスク模様の間隔が７ｍｍ以下に設定されていることを特徴とする、請求項８又は請求項９に記載のテープ。
【請求項１１】
前記裏面は、粘着性を有した粘着面であることを特徴とする、請求項８〜１０の何れかに記載のテープ。
【発明の詳細な説明】
【技術分野】
【０００１】
本発明は、経穴を刺激し身体の気血，津液，精の流れを正常化する模様を有した経穴刺激具および経穴刺激方法に関する。
【背景技術】
【０００２】
東洋医学の治療においては、古くから人体の経穴（いわゆる“つぼ”）に対し刺激を与えて病気を治癒させる方法が行われている。この経穴に対して刺激を与える方法としては、一般に鍼や灸が広く知られている。
【０００３】
この治療法において、病気が治癒するメカニズムの説明としては、種々の学説があるが、経絡と呼ばれる循環路（経穴を連絡した路）に沿って流れる気血と呼ばれるエネルギー（いわゆる“気”）の流れを補瀉調節することによって、症状が治癒するというのが通説である。
【０００４】
すなわち、気血の流れに異常がある場合には、経絡の要所に当る経穴に刺激を与えることによって、異常状態である経絡に変調をきたし、正常状態に戻すことによって症状が治癒するものと考えられている。
【０００５】
この経絡に刺激を与える東洋医学の治療効果は、既に歴史が証明しており、東洋医学を行う者にとって疑義を挾む余地はないと考えられている。
【発明の概要】
【発明が解決しようとする課題】
【０００６】
ところで、上述したような鍼や灸を用いた施術においては、患者の症状に適した位置（経穴）に鍼や灸を配置しなければならないため、専門知識及び治療診断技術を有した施術者に依頼する必要がある。
【０００７】
しかしながら、従来のような、施術者が直に患者と接触して診断・施術する形式をとっている限り、一人の施術者が診られる患者の数には限界がある。つまり、施術者が一日に診られる患者の数は限られていることに加え、遠方にいる患者に対しては施術を行うことはできない。
さらに、施術者が亡くなってしまう等、施術を続行できなくなってしまった場合には、患者は新たに信頼できる施術者を見つけ出す必要がある。
【０００８】
また、周囲に施術者がいない環境にいる人にとっても、気血の流れを正常に保つことは身体的・精神的に重要である。そのため、施術者を見つけ出すことが望めない環境にいる人（例えば、被災地で孤立しまった人や宇宙飛行士等）であっても、容易に気血、津液、精の流れを正常化する方法があれば有用であると考えられる。
【０００９】
このような状況に対して、本発明者は、患者が施術者に頼ることなく、また、特別な専門知識や道具を必要とせずに普段通りの生活を過ごしているだけで、気血，津液，精の流れを正常化することのできる方法が必要であると考えていた。
そこで、本発明者が長年にわたり鋭意検討と検証を重ねた結果、特定の模様（マーク）を人体に近接させることで、身体の気血，津液，精の流れが正常化されるという驚くべき効果があることを見出した。そして、この模様を身体と接触する機会の多い箇所（例えば、衣服，衛生用品，寝具，内装建材，家具，食器具，調理器具，文房具，健康器具，美容用品，貼付材，電子機器の入力装置）に設けることにより、専門知識及び治療診断技術を持たない人であっても、普段通りの生活を過ごしているだけで、気血，津液，精の流れを正常化することができると考えた。
【００１０】
本発明は、上記実情に鑑みてなされた発明であり、専門知識及び治療診断技術を持たない人であっても安心して使用することができ、気血，津液，精の流れを正常化することができる経穴刺激具および経穴刺激方法を提供することを課題とする。
【課題を解決するための手段】
【００１１】
上記課題を解決するため、本発明に係る経穴刺激具は、物品の表面及び／又は裏面に、複数のアスタリスク模様が配列された配列模様を有することを特徴とする。
本発明者は、アスタリスク模様を人体の経穴に近接させることで、経穴が刺激されることを見出した。そのため、このアスタリスク模様を配列させた配列模様を付した物品を、人体に近接させることにより、物品を利用する人の経穴を刺激して、気血，津液，精の流れを正常化することができる。
【００１２】
そして、この物品に設けられた配列模様は、鍼や灸等のように身体に直接強い刺激を与えるものではないため、疼痛・感染・瘢痕の発生等が生じない。そのため、使用者は安心して本発明に係る経穴刺激具を使用することができる。
さらに、複数のアスタリスク模様を配列させることで、広範囲にわたって気血，津液，精の流れの正常化を図ることができ、特別な専門知識の無い人であっても容易に活用することができる。
【００１３】
本発明の好ましい実施形態では、前記配列模様は、２つ以上のアスタリスクを重ねた形状のアスタリスク模様を有していることを特徴とする。
このように、複数のアスタリスクを重ねた模様を有した配列模様を用いることで、気血、津液、精の流れを正常化する効果を高めることができる。
【００１４】
本発明の好ましい実施形態では、前記配列模様は、隣り合う前記アスタリスク模様の間隔が７ｍｍ以下に設定されていることを特徴とする。
このように、つぼ（経穴）の面積よりも狭い間隔でアスタリスク模様を配列させることにより、確実に経穴にアスタリスク模様を接触させることができる
【００１５】
本発明の好ましい実施形態では、前記物品が、衣服、衛生用品、寝具、内装建材、家具、食器具、調理器具、文房具、健康器具、美容用品、貼付材又は電子機器の入力装置であることを特徴とする。
例えば、衣服に気血，津液，精の流れを正常化することができるアスタリスク模様を配列させた配列模様を付したことにより、衣服を着用するだけで、配列模様が身体に近接させられて、身体の気血，津液，精の流れの正常化を図ることができる。
また、包帯などの衛生用品にアスタリスク模様を配列させた配列模様を付したことにより、包帯で包んだ損傷箇所の気血の流れを正常化して、損傷個所の治癒を促すことができる。
また、寝具にアスタリスク模様を配列させた配列模様を付したことにより、就寝中にも身体の気血，津液，精の流れの正常化を図ることができる。
また、床面や壁面、天井等に利用される内装建材にアスタリスク模様を配列させた配列模様を付したことにより、例えば、床面と接触する足裏等の気血，津液，精の流れの正常化を図ることができる。
また、椅子等の家具にアスタリスク模様を配列させた配列模様を付したことにより、家具と接触する尻や背中の気血，津液，精の流れの正常化を図ることができる。
また、このほかにも、身体と接触する食器具、調理器具、文房具、健康器具、美容用品、貼付材、電子機器の入力装置等に適用することが可能である。
このように、普段から身体と接する機会の多い物品に配列模様を付することで、生活者の気血，津液，精の流れを日常的に正常化することができる。
【００１６】
本発明の好ましい実施形態では、前記物品は、テープであることを特徴とする。
このように、テープに配列模様を付してあることにより、テープを体に貼り付けることで、配列模様を経穴へ容易に近接させることができる。
【発明の効果】
【００１７】
本発明によれば、専門知識及び治療診断技術を持たない人であっても安心して使用することができ、気血，津液，精の流れを正常化することができる経穴刺激具および経穴刺激方法を提供することができる。
【図面の簡単な説明】
【００１８】
【図１】本発明に係るアスタリスク模様が配列された配列模様を示す図である。
【図２】本発明に係るアスタリスク模様の形状を示す図である。
【図３】本発明に係るアスタリスク模様が配列された配列模様を示す図である。
【図４】本発明の実施形態１に係る衣服を示す図である。
【図５】本発明の実施形態２に係るテープを示す図である。
【発明を実施するための形態】
【００１９】
以下、本発明を図面に示した好ましい実施形態１及び実施形態２について、図１〜５を参照して詳細に説明する。本発明の技術的範囲は、添付図面に示した実施形態に限定されるものではなく、特許請求の範囲に記載された範囲内において、適宜変更が可能である。
【００２０】
＜実施形態１＞
実施形態１に係る発明は、複数のアスタリスク模様Ａが配列された配列模様１０を有するティーシャツ２０である。
図１は、アスタリスク模様Ａが配列された配列模様１０を示している。図２は、他のアスタリスク模様の例を、図３は、他の配列模様の例をそれぞれ示している。図４は、配列模様１０が付されたティーシャツ２０（衣服の一例）を示しており、図４（ａ）はティーシャツ２０の表面を、図４（ｂ）はティーシャツ２０の裏面をそれぞれ示している。
【００２１】
アスタリスク模様Ａは、図１及び図２（ａ）に示すように、３本の線分が、各線分の中間位置（図２（ａ）においては中心位置）で交差した形状であり、縦線１本（若しくは横線）と、斜め線２本により構成されている。すなわち、各線分が交差した点から６方向に放射線が形成されており、２本の縦線（若しくは横線）と４本の斜め線から構成されている。この線分の長さや太さに特に制限はなく、自由な長さ及び太さに設定することができる。そして、各線分（放射線）が交わる角度に制限は無く、３本の線分が交差した形状を有していればよい。
また、３本の線分が一点で交差する例を示したが、二点や三点で交差する場合にも、経絡を刺激する効果を有していることが確認されている。
【００２２】
また、図２（ｂ）及び図２（ｃ）に示すように、アスタリスク模様Ａを複数個重ねた形状のアスタリスク模様Ｂ，Ｃを配列させても良い。例えば、アスタリスク模様Ａを２つ重ねた形状（アスタリスク模様Ｂ）においては、図２（ｂ）に示すように、各線分が交差した点から１２方向に放射線が形成されている。また、アスタリスク模様Ａを３つ重ねた形状（アスタリスク模様Ｃ）においては、図２（ｃ）に示すように、各線分が交差した点から１８方向に放射線が形成されている。このように、６の倍数の放射線を有する形状を採用しても良い。
【００２３】
この他にも、図２（ｄ）及び（ｅ）に示すような、アスタリスク模様Ａ〜Ｃを内包した模様を配列させてもよい。例えば、図２（ｄ）に示したアスタリスク模様Ｄは、長い１本の蛇行線Ｄ１と、短い２本の線分Ｄ２と、を有し、蛇行線Ｄ１に２本の線分Ｄ２を一点で交差させたことにより、交差箇所にアスタリスク模様Ａが形成されている。
また、図２（ｅ）に示したアスタリスク模様Ｅは、長い１本の蛇行線Ｅ１と、短い５本の線分Ｅ２とを有し、蛇行線Ｅ１に５本の線分Ｅ２を一点で交差させたことにより、交差箇所にアスタリスク模様Ｂが形成されている。
さらに、図２（ｆ）に示したアスタリスク模様Ｆは、１本の線分Ｆ１と、８字状の８字線Ｆ２と、を有し、線分Ｆ１に８字線Ｆ２の交差部分を重ねることにより、交差箇所にアスタリスク模様Ａが形成されている。
このほかにも、アスタリスク模様Ａ〜Ｃが内包された模様であれば、当然に採用することができる。
【００２４】
また、このアスタリスク模様Ａ〜Ｆは、ペン等で書き込むことで形成しても良いし、印刷機等で印刷して形成しても良い。さらに、このアスタリスク模様Ａ〜Ｆは、人が触れて感知できるよう多少肉盛に形成しても良い。そして、これらのアスタリスク模様Ａ〜Ｆの各線は、色付きで付されてもよいし透明であってもよい。
【００２５】
次に、本発明に適用可能な配列模様の他のバリエーションを図３に示す。
図３（ａ）は、長い１本の直線１１ａと、２本の波状線１１ｂと、を有した配列模様１１を示しており、これら３本が交わる箇所にアスタリスク模様Ａが配列されている。
図３（ｂ）は、環状線１２ａと、この環状線１２ａに交差する波状線１２ｂと、を有した配列模様１２を示しており、この環状線１２ａと波状線１２ｂの交差箇所に複数のアスタリスク模様Ａが配列されている。
図３（ｃ）は、長い１本の直線１３ａと、２本の鋸歯状の波状線１３ｂと、を有した配列模様１３を示しており、これら３本が交わる箇所にアスタリスク模様Ａが配列されている。
【００２６】
また、これらの配列模様は、組み合わせたり、重ねたりして用いてもよい。
図３（ｄ）は、図３（ａ）の配列模様１１と図３（ｂ）の配列模様１２を組み合わせた配列模様１４を示しており、隣り合う２つの配列模様１２の中心を通るように、１つの配列模様１１が配置されている。
図３（ｅ）は、縦方向に伸びる配列模様１３ｃと、横方向に伸びる配列模様１３ｄと、を２つ重ねた状態を示しており、図３（ｆ）は、この配列模様１３ｃ，１３ｄを複数重ねた配列模様１５を示している。この配列模様１５においては、アスタリスク模様Ａと、９０度回転したアスタリスク模様Ａとが、２つ重なって配列されている。
このほかにも、アスタリスク模様Ａ〜Ｆが内包された配列模様であれば、当然に採用することができる。
【００２７】
このアスタリスク模様Ａ〜Ｆは、身体に近接させることにより、近接箇所の気血，津液，精を正常化するという働きを有している。特に、経絡上に近接される場合には、その経絡上を流れる気血，津液，精を正常化し、経穴に近接される場合には、より効果的に正常化させる作用が働く。なお、経絡や経穴以外の箇所に近接される場合であっても、その近接箇所において気血，津液，精を正常化する効果を有している。
【００２８】
配列模様１０〜１５は、図１に示すように、縦方向及び横方向に連なって周期的に配列されていても良いし、縦方向、横方向または斜め方向の一列に配列されていても良い。この配列模様１０〜１５は、人体の皮膚に近い衣服の裏側に配置されていることが望ましいが、表側に配置しても本発明の効果を得ることができる。
また、この配列模様１０〜１５は、より確実に経絡（つぼ）を刺激することができるよう、小径のアスタリスク模様Ａ〜Ｆを密に配列させることが望ましい。一般的に、つぼの面積は２ｍｍ〜７ｍｍと言われている。そのため、隣り合うアスタリスク模様Ａ〜Ｆの間隔を７ｍｍ以下に設定することが望ましく、さらに２ｍｍ以下に設定することにより、確実につぼに近接させることができる。
加えて、布地の表面及び裏面に配列模様１０を付したり、配列模様１０を配列させた布地を複数枚重ねる等して、配列模様１０を重ねて配置することが望ましい。
【００２９】
図３においては、衣服の一例としてティーシャツ２０を示したが、ティーシャツ２０に限られず様々な衣服に適用することができる。すなわち、本発明における衣服とは、パンツ，ショーツ，シャツ，ガードル等のアンダーウェアをはじめ，シャツやカットソー，ジャケット，コート，セーター，カーディガン，チュニック，スウェット等のアウターウェア、靴下やストッキング，レギンス，手袋，帽子といった日用衣料，水着，水泳帽，タイツ，レオタードといったスポーツ衣料，宇宙服等の特殊スーツ，リストバンドやアンクルバンド等の局所的に使用されるサポーター等を広範に含むものである。
【００３０】
次に、上記アスタリスク模様Ａ〜Ｆを人体の皮膚に近接させることによる効果について、発明者の実体験に基づいて述べる。
本発明者は、患者に対してリラクゼーションマッサージを行う４０歳男性である。発明者は、配列模様１０が印刷されたティーシャツ，パンツ，リストバンド，アンクルバンドを装着した状態で、６ヶ月の間休日なく、月々１４０００〜１５０００分以上、約９平方メートルの空間の中で患者に対して施術を行った。
【００３１】
このように、発明者は、身体を酷使するマッサージを休日無く行っているにもかかわらず、ストレスや身体の疲労感、病気や首、肩の痛みや足腰の痛みなどの体調不良をいっさい感じなかった。また、上記の６ヶ月の間、発明者はストレッチやマッサージ等の身体のメンテナンスはいっさい行っておらず、栄養価の高い飲料や食事、サプリメントもいっさい摂取していなかった。
【００３２】
ところで、発明者が行っているリラクゼーションマッサージは、手の平を患者の身体にかざして気血の流れを感じとり、施術の方針を決定している。このように、発明者は、気血の流れを観察することに長けており、上述した６ヶ月間の間、配列模様１０を近接させた発明者の身体の気血の流れを観察していたが、常に正常な状態を保ち続けていた。
【００３３】
さらに、本発明の効果を確認するために、患者１０人に対してキネシオロジーテスト（筋反射テスト）を実施し、各経絡の気の流れについて数値化を行った。
このキネシオロジーテストでは、○，△，×，アスタリスク（図２（ａ）のアスタリスク模様Ａ），アスタリスク３重（図２（ｃ）のアスタリスク模様Ｃ）の模様を描いたマーク紙を５種類用意し、１４経絡（任脈，督脈，胃経，脾経，心経，小腸経，膀胱経，腎経，心包経，三焦経，胆経，肝経，肺経，大腸経）のうち、任脈はＣＶ２２、督脈はＧＶ１５、その他１２の経絡は原穴上に各マーク紙を順に配置した。
【００３４】
そして、マーク紙が配置された状態で、患者の各経絡の気の流れについて数値化を行った。この気の流れの数値化は、一般的なキネシオロジーテストを実施する者が行う方法に即しており、発明者が患者に経絡の気の流れに関する質問を行い、発明者がその質問に対する患者の筋肉の反射を感知することで、各経絡の気の流れについて数値化を行った。すなわち、発明者が患者に接触し、普段生活する上で最良の経絡の気の流れを２０点としたときに、現在の気の流れがいくつの値であるか、１〜４０までの数値を１から順に質問した。この時、該当する数値が質問された場合に、患者の体に現れる筋反射を感知することにより、現在の経絡の気の流れの量を数値化することができる。また、２０点を超えるものは肉体が普段得られる最良の経絡の流れを超えた値とした。
なお、このテストの最中は患者に目隠し等をすることにより、マーク紙に何が書かれているか患者が知り得ない状態でテストを行った。そのため、患者の心理的な要素は排除されているものと考えられる。
このキネシオロジーテストの結果を以下の表１〜表１０に示す。
【００３５】
【表１】
2018047216.tif 000003
【００３６】
【表２】
2018047216.tif 000004
【００３７】
【表３】
2018047216.tif 000005
【００３８】
【表４】
2018047216.tif 000006
【００３９】
【表５】
2018047216.tif 000007
【００４０】
【表６】
2018047216.tif 000008
【００４１】
【表７】
2018047216.tif 000009
【００４２】
【表８】
2018047216.tif 000010
【００４３】
【表９】
2018047216.tif 000011
【００４４】
【表１０】
2018047216.tif 000012
【００４５】
表１〜表１０に示されているように、アスタリスク模様Ａのマーク紙を原穴に当接させたことで、何れの患者も１４経絡の全てにおいて、気の流れが改善されていることがわかる。特に、アスタリスク３重模様（アスタリスク模様Ｃ）では、１重のアスタリスク（アスタリスク模様Ａ）よりも、さらに気の流れがよくなっていることがわかる。
なお、このような結果は、アスタリスク模様を描いたマーク紙の表面側を人体に近接させた場合と同様に、描いていないマーク紙の裏面側を近接させた場合でも、効果を得られるものの、より小さな効果になる
【００４６】
さらに、本発明の効果を示すため、配列模様１０を使ったテストを実施した。直径１ｃｍのアスタリスク模様Ａを２ｍｍ間隔で配列させた配列模様１０を描いた帯状のマーク紙を用意した。この帯状のマーク紙を、患者の上腕部やふくらはぎに巻きつけ、時間経過と共に上腕部及びふくらはぎの周長を測定し記録した。
このテストの結果を以下の表１１〜表１５に示す。
【００４７】
【表１１】
2018047216.tif 000013
【００４８】
【表１２】
2018047216.tif 000014
【００４９】
【表１３】
2018047216.tif 000015
【００５０】
【表１４】
2018047216.tif 000016
【００５１】
【表１５】
2018047216.tif 000017
【００５２】
表１１〜表１５に示されているように、何れの患者においても配列模様１０が描かれた帯状のマーク紙を巻き付けることで、上腕部及びふくらはぎの周長が短く変化していることがわかる。これは、アスタリスク模様Ａを近接させたことにより、気血，津液，精の流れが正常化され、リンパ液の流れが促進されることによって、むくみが取れ、周長に変化が現れたものと考えられる。
また、この実験を受けた患者には、上腕部やふくらはぎ、その周辺の筋肉のコリの状態について、３段階（変わらない、良くなった、非常に良くなった）で評価してもらったところ、全員が非常に良くなったと回答している。
【００５３】
特に、表１２及び表１５からわかるように、リンパ浮腫の患者に対しても良好な結果を示している。現在、リンパ浮腫の治療には、大きく保存的治療（理学療法）と外科的治療（手術療法）の二つに分けられるが、保存的治療はマッサージ等を継続して行う必要があり、外科的治療は体への負担が大きい。本発明は、アスタリスク模様Ａ〜Ｆを近接させておくだけでよいため、腕や脚がむくみに悩まされているリンパ浮腫患者にとって、非常に喜ばしい手法であると考えられる。
【００５４】
本発明によれば、気血，津液，精の流れを正常化する模様であるアスタリスク模様を衣服に配列させることにより、この衣服を着用するだけで人体の気血，津液，精の流れを正常化することができる。衣服は、ほとんどの人間が普段から身に着けている。そのため、本発明は、子供や老人，寝たきりの人，体の一部が欠損した人や脳死の人まで、あらゆる状態の人に対して幅広く適用され得る。
【００５５】
また、施術者を必要としないため、被災地で孤立しまった人や、地上から遠く離れ、生活、活動を続ける宇宙飛行士等、周囲に施術者がいない環境の人に対しても有用である。気が流れることによりストレスは緩和され、血が流れることにより血流がよくなる。また、津液、精が流れることにより、リンパ液や脳骨髄液の流れが改善されることが期待できる。例えば、リンパ浮腫等のリンパ液の流れが滞ることによっておこる疾病に対して有効である。このように、着用者の気血，津液，精の流れを正常化することによって、健康を保つことや、ストレス軽減に寄与することができる。
【００５６】
また、本発明によれば、複数のアスタリスク模様を配列させているため、専門知識を有さない人が着用した場合であっても効果を得ることができる。例えば、アスタリスクが１つしかなければ、有効な経穴の位置に配置する知識が必要であるが、本発明では複数のアスタリスク模様を広範囲に配列させているため、専門知識が無くとも効果を得ることができる。
すなわち、アスタリスク模様を密に配置することにより、経絡や経穴に接触させることができる。例えば、経穴（つぼ）の面積である２ｍｍ〜７ｍｍよりも狭い間隔でアスタリスク模様を配列させることにより、確実に経穴にアスタリスク模様を接触させることができる。
【００５７】
また、本発明によれば、衣服にアスタリスクの配列模様を付しただけの簡単な構成であるため、極めて容易に製造することができる。そのため、世界中のどこの地域でも、「アスタリスク模様を配列させる」という旨を伝えるだけで、直ちに製造を開始することができるため、世界中の人々の身体的・精神的な健康に貢献することができる。
【００５８】
また、本発明は衣服に限られず、普段人体と接触する物品に対して、容易に適用することができる。例えば、包帯等の衛生用品にアスタリスク模様Ａを配列させて、包帯で覆った損傷箇所の気血の流れを正常化させたり、寝具にアスタリスク模様を配列させて、就寝時に気血の流れを正常化することができる。
なお、ここで言う衛生用品とは、包帯，ガーゼ，止血帯，テーピングテープ，絆創膏、シールを含むものである。
また、ここで言う寝具とは、掛け布団，敷布団，毛布，ブランケット，マットレス，枕，これらに取り付けるシーツ及びカバーを含むものである。
【００５９】
さらには、生活スペースである部屋の内装建材や家具，食器具，調理器具，文房具、携帯電話等の電子機器，キーボードやマウスといった電子機器の入力装置にアスタリスク模様を配列させることにより、生活空間にアスタリスク模様をとりいれて、生活者の身体的・精神的な健康に貢献することができる。
【００６０】
なお、ここで言う内装建材とは、床面，天井，壁面に使用されるパネルやシート等の建材を含むものであり、部屋以外にも、例えば、車や列車，飛行機等の内装に用いられるシートを含むものである。
また、ここで言う家具とは、椅子や椅子のシート，机，ベッド，カーペット，浴槽（バスタブ）を含むものである。
また、ここで言う食器具とは、皿，椀，コップ，グラス，箸，スプーン，フォーク，ナイフ等、食事の際に用いる器具全般を含むものである。
また、ここで言う調理器具とは、鍋，フライパン，包丁，まな板等、調理の際に用いる器具全般を含むものである。
また、ここで言う文房具とは、筆記具，ノート，バインダー，はさみ，ホチキス，付箋，マスキングテープ等、文具全般を含むものである。
【００６１】
さらに、この他にも、美顔用フェイスマスクや保湿パック等の美容用品やツボ押し等の健康器具，ステッカー等の貼付材に適用することができる。これらの物品の表面及び／又は裏面に、アスタリスク模様Ａ〜Ｆを配列させて、身体の気血，津液，精の流れを正常化したい箇所に貼付できるよう構成してもよい。
【００６２】
このように、本発明は様々な物品への適用が考えられる。中でも、適用するのに好ましい物品として、配列模様を付したテープを以下の実施形態２に示す。
【００６３】
＜実施形態２＞
以下、本発明の実施形態２に係るテープ３０について、図５を参照して詳細に説明する。なお、同実施形態において、先の実施形態と基本的に同一の構成要素については、同一の符号を付してその説明を簡略化する。
【００６４】
図５（ａ）は本実施形態に係るテープ３０の平面図であり、図５（ｂ）はテープ３０を巻き付けた状態のロールテープ３１の斜視図である。また、図５（ｃ）はテープ３０の使用状態を示している。
【００６５】
ロールテープ３１は、粘着面を有するテープ３０を何重にも巻きつけたものであり、必要な長さのテープ３０を切り出して使用することができる。図５に示されているように、テープ３０の表面（及び／又は裏面）には、配列模様１１が付されており、任意の長さに切り取って、身体に貼り付けて使用することができる。そして、図５（ｃ）は、使用者の手Ｈに貼り付けた例を示している。
【００６６】
なお、本実施形態においては、テープ３０に配列模様１１を付した例を示したが、アスタリスク模様Ａ〜Ｆを含むデザインであればよく、例えば、配列模様１０や配列模様１２〜１５を付してもよい。
【００６７】
本実施形態によれば、配列模様１０〜１５を必要な分量のテープ３０を切り取って、身体の近接させたい箇所に貼り付けることができる。また、不要になったときには、剥がして捨てることができる。このため、非常に使い勝手が良い。
また、太幅のテープ３０を用いることにより、容易に配列模様１１の面積を拡大させることができる等、使用者の要求や使用方法に対する設計変更も容易に行うことができる。
【００６８】
このテープ３０は、粘着面を有していることが望ましく、剥がした後に粘着物が肌に残りにくいテーピングテープやマスキングテープ等が好適に用いられる。
しかしながら、この粘着面は必須ではなく、粘着面を有さない紙テープを身体に巻き付けるようにして利用することも当然に可能である。
【符号の説明】
【００６９】
Ａ〜Ｆ  アスタリスク模様
１０〜１５  配列模様
２０  ティーシャツ
３０  テープ
【図１】
2018047216.tif 000018
【図２】
2018047216.tif 000019
【図３】
2018047216.tif 000020
【図４】
2018047216.tif 000021
【図５】
2018047216.tif 000022
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
使用時に身体に接触する面を有した物品を備え、
前記面の表面及び／又は裏面に、複数のアスタリスク模様が配列された配列模様を有することを特徴とする、経穴刺激具。
【請求項２】
使用時に身体に接触する面を有した物品を備え、
前記面の表面及び／又は裏面に、複数のアスタリスク模様が配列された配列模様を有し、
前記配列模様は、隣り合う前記アスタリスク模様の間隔が７ｍｍ以下に設定されていることを特徴とする、経穴刺激具。
【請求項３】
前記物品が、衣服、衛生用品、寝具、内装建材、家具、食器具、調理器具、文房具、健康器具、美容用品、貼付材又は電子機器の入力装置の何れかであることを特徴とする、請求項１又は請求項２に記載の経穴刺激具。
【請求項４】
物品の表面及び／又は裏面に、複数のアスタリスク模様が配列された配列模様を有し、
前記配列模様は、隣り合う前記アスタリスク模様の間隔が７ｍｍ以下に設定されており、
前記物品が、衣服であることを特徴とする、経穴刺激具。
【請求項５】
物品の表面及び／又は裏面に、複数のアスタリスク模様が配列された配列模様を有し、
前記配列模様は、隣り合う前記アスタリスク模様の間隔が７ｍｍ以下に設定されており、
前記物品が、テープであることを特徴とする、経穴刺激具。
【請求項６】
前記物品は、粘着面を有していることを特徴とする、請求項５に記載の経穴刺激具。
【請求項７】
前記配列模様は、隣り合う前記アスタリスク模様の間隔が２ｍｍ以下に設定されていることを特徴とする、請求項１〜６の何れかに記載の経穴刺激具。
【請求項８】
前記配列模様は、２つ以上のアスタリスクを重ねた形状のアスタリスク模様を有していることを特徴とする、請求項１〜７の何れかに記載の経穴刺激具。
【請求項９】
前記アスタリスク模様は、印刷により形成されていることを特徴とする、請求項１〜８の何れかに記載の経穴刺激具。
【手続補正２】
【補正対象書類名】明細書
【補正対象項目名】００１４
【補正方法】変更
【補正の内容】
【００１４】
本発明の好ましい実施形態では、前記配列模様は、隣り合う前記アスタリスク模様の間隔が７ｍｍ以下に設定されていることを特徴とする。
このように、つぼ（経穴）の直径よりも狭い間隔でアスタリスク模様を配列させることにより、確実に経穴にアスタリスク模様を接触させることができる。
【手続補正３】
【補正対象書類名】明細書
【補正対象項目名】００２８
【補正方法】変更
【補正の内容】
【００２８】
配列模様１０〜１５は、図１に示すように、縦方向及び横方向に連なって周期的に配列されていても良いし、縦方向、横方向または斜め方向の一列に配列されていても良い。この配列模様１０〜１５は、人体の皮膚に近い衣服の裏側に配置されていることが望ましいが、表側に配置しても本発明の効果を得ることができる。
また、この配列模様１０〜１５は、より確実に経絡（つぼ）を刺激することができるよう、小径のアスタリスク模様Ａ〜Ｆを密に配列させることが望ましい。一般的に、つぼの直径は２ｍｍ〜７ｍｍと言われている。そのため、隣り合うアスタリスク模様Ａ〜Ｆの間隔を７ｍｍ以下に設定することが望ましく、さらに２ｍｍ以下に設定することにより、確実につぼに近接させることができる。
加えて、布地の表面及び裏面に配列模様１０を付したり、配列模様１０を配列させた布地を複数枚重ねる等して、配列模様１０を重ねて配置することが望ましい。
【手続補正４】
【補正対象書類名】明細書
【補正対象項目名】００５６
【補正方法】変更
【補正の内容】
【００５６】
また、本発明によれば、複数のアスタリスク模様を配列させているため、専門知識を有さない人が着用した場合であっても効果を得ることができる。例えば、アスタリスクが１つしかなければ、有効な経穴の位置に配置する知識が必要であるが、本発明では複数のアスタリスク模様を広範囲に配列させているため、専門知識が無くとも効果を得ることができる。
すなわち、アスタリスク模様を密に配置することにより、経絡や経穴に接触させることができる。例えば、経穴（つぼ）の直径である２ｍｍ〜７ｍｍよりも狭い間隔でアスタリスク模様を配列させることにより、確実に経穴にアスタリスク模様を接触させることができる。